(57)【要約】【目的】健康時の勃起状態と同じ陰茎が屹立した状態と同様又は近似する状態まで陰茎を支持することができる勃起不全又は勃起不能者用装着具を提供する。【構成】男性の陰茎を下側から支持して勃起状態と同様状態又は近似状態を保持する勃起不全又は勃起不能者用装着具であって、  陰茎の下側の少なくとも一部に接した状態で該陰茎を支持する陰茎支持部と、該陰茎支持部の先端部において亀頭冠に沿った状態で掛止することにより亀頭を前記陰茎支持部に固定する亀頭固定部と、を有し、かつ  前記亀頭固定部を亀頭先端に支持する亀頭先端固定部を有すること、  を特徴とする勃起不全又は勃起不能者用装着具。【選択図】        図１
2019181140.tif 000002
【特許請求の範囲】
【請求項１】
男性の陰茎を下側から支持して勃起状態と同様状態又は近似状態を保持する勃起不全又は勃起不能者用装着具であって、
陰茎の下側の少なくとも一部に接した状態で該陰茎を支持する陰茎支持部と、該陰茎支持部の先端部において亀頭冠に沿った状態で掛止することにより亀頭を前記陰茎支持部に固定する亀頭固定部と、を有し、かつ
前記亀頭固定部を亀頭先端に支持する亀頭先端固定部を有すること、
を特徴とする勃起不全又は勃起不能者用装着具。
【請求項２】
陰茎支持部による支持が、少なくとも尿道海綿体の略先端から根部までの略全域の下側を支持する構成であることを特徴とする請求項１に記載の勃起不全又は勃起不能者用装着具。
【請求項３】
陰茎支持部による支持が、体外に露出する陰茎の略先端の下側部分から根元部分に加えて、該陰茎の内部組織の海綿体であって体内に位置する部分である海綿体の根部の下側部分までに及ぶことを特徴とする請求項１又は２に記載の勃起不全又は勃起不能者用装着具。
【請求項４】
陰茎支持部は、少なくとも体外に露出する陰茎を支持する部分が薄板状であることを特徴とする請求項１、２又は３に記載の勃起不全又は勃起不能者用装着具。
【請求項５】
陰茎支持部は、体内に位置する海綿体を支持する部分の少なくとも一部が大腿の付け根部分によって挟持可能な厚みを有する構成であることを特徴とする請求項３又は４のいずれかに記載の勃起不全又は勃起不能者用装着具。
【請求項６】
陰茎支持部は、硬質合成樹脂又は硬質シリコーンで形成された構成であることを特徴とする請求項１〜５のいずれかに記載の勃起不全又は勃起不能者用装着具。
【請求項７】
陰茎支持部は、亀頭冠の下方から亀頭先端にかけて支持する亀頭先端固定部の硬度が、他の部分を支持する部分の硬度よりも低い構成であることを特徴とする請求項１又は６に記載の勃起不全又は勃起不能者用装着具。
【請求項８】
陰茎支持部は、少なくとも体外に位置する陰茎を支持する部分が軟質材製の被覆部で被覆された構成であることを特徴とする請求項１〜７のいずれかに記載の勃起不全又は勃起不能者用装着具。
【請求項９】
亀頭固定部は、亀頭冠に沿って掛止する伸縮性を有する細紐状・狭巾テープ状の如き構成であることを特徴とする請求項１〜８のいずれかに記載の勃起不全又は勃起不能者用装着具。
【請求項１０】
亀頭固定部は、軟質材で形成された構成であることを特徴とする請求項１〜９のいずれかに記載の勃起不全又は勃起不能者用装着具。
【請求項１１】
軟質材が軟質合成樹脂又は軟質シリコーンであることを特徴とする請求項１０に記載の勃起不全又は勃起不能者用装着具。
【請求項１２】
亀頭固定部は、陰茎支持部を被覆する被覆部と一体的に形成された構成であることを特徴とする請求項９〜１１のいずれかに記載の勃起不全又は勃起不能者用装着具。
【請求項１３】
亀頭先端固定部は、亀頭先端の下部、亀頭先端、亀頭先端の上部、亀頭冠の上部の各点を通って、陰茎支持部の先端と亀頭固定部とを結ぶことにより陰茎支持部からの亀頭の位置ズレを防止する伸縮性を有する細紐状・狭巾テープ状の構成であることを特徴とする請求項１〜１２のいずれかに記載の勃起不全又は勃起不能者用装着具。
【請求項１４】
装着者の胴部に装着されるベルト体と、該ベルト体に一端が直接又は間接的に接続される帯状又は紐状の如き掛止帯と、を有し、該掛止帯の他端が、陰茎支持部の体内に位置する海綿体を支持する部分に接続固定される構成であることを特徴とする請求項１〜１３のいずれかに記載の勃起不全又は勃起不能者用装着具。
【請求項１５】
陰茎支持部の先端部において亀頭の少なくとも一部を露出した状態で該亀頭を被覆支持する亀頭被覆部を有し、該亀頭被覆部は陰茎支持部を被覆する軟質材と一体的に形成された構成であることを特徴とする請求項１〜１２のいずれかに記載の勃起不全又は勃起不能者用装着具。
【発明の詳細な説明】
【技術分野】
【０００１】
本発明は勃起不全又は勃起不能者用装着具に関し、詳しくは、陰茎に装着して勃起時と同様の状態にして性交可能にするための装着具に関する。
【背景技術】
【０００２】
勃起不全又は勃起不能により性交に支障をきたす、又は性交を行うことができない、という問題を抱えている症例が近年増加していると云われている。
かかる症例の解決手段としては、シリコーンの陰茎インプラントを陰茎内に挿入することによって勃起状態を得ることができる技術が知られている。
しかし、陰茎インプラントは外科的施術が必要であるだけでなく、インプラント露出による合併症が生じる可能性がある等の問題点を有していた。
【０００３】
そこで、外科的施術を必要とせず、陰茎に装着することにより該陰茎を勃起時と同様の状態にして性交可能にする装着具が種々提案されることになった（例えば、特許文献１〜３等参照）。
【０００４】
特許文献１〜３には、シリコーンゴム製の一体成型された筒状の装着具によって陰茎を被覆状態で支持する技術が記載されている。
【先行技術文献】
【特許文献】
【０００５】
【特許文献１】特開２００６−２３０４２２号公報
【特許文献２】特開２００５−０５２５５７号公報
【特許文献３】特開２００５−０５２５５８号公報
【発明の概要】
【発明が解決しようとする課題】
【０００６】
特許文献１〜３の技術は、いずれも陰茎の根元部から先端に至るまでは装着具によって被覆支持されているために中折れ状態とはならないが、陰茎自体は硬度を有していないために装着具の端部である陰茎根元部から陰茎全体が下方に垂下してしまうので性交開始時においては手指による支えが必要である。特に、この陰茎が垂下した状態は、単に性交開始時に手指の支えによる介添えが必要というだけでなく、男性自身に「本当は勃起していない」という現実を再確認させてしまう等、勃起不全という肉体的な面だけでなく、心理的な面でも意識を後退させてしまうという不都合を有している。
【０００７】
そこで本発明の目的は、健康時の勃起状態と同じ陰茎が屹立した状態と同様又は近似する状態まで陰茎を支持することができる勃起不全又は勃起不能者用装着具を提供することにある。
【課題を解決するための手段】
【０００８】
上記課題を解決する本発明は下記構成を有する。
【０００９】
１．男性の陰茎を下側から支持して勃起状態と同様状態又は近似状態を保持する勃起不全又は勃起不能者用装着具であって、
陰茎の下側の少なくとも一部に接した状態で該陰茎を支持する陰茎支持部と、該陰茎支持部の先端部において亀頭冠に沿った状態で掛止することにより亀頭を前記陰茎支持部に固定する亀頭固定部と、を有し、かつ
前記亀頭固定部を亀頭先端に支持する亀頭先端固定部を有すること、
を特徴とする勃起不全又は勃起不能者用装着具。
【００１０】
２．陰茎支持部による支持が、少なくとも尿道海綿体の略先端から根部までの略全域の下側を支持する構成であることを特徴とする上記１に記載の勃起不全又は勃起不能者用装着具。
【００１１】
３．陰茎支持部による支持が、体外に露出する陰茎の略先端の下側部分から根元部分に加えて、該陰茎の内部組織の海綿体であって体内に位置する部分である海綿体の根部の下側部分までに及ぶことを特徴とする上記１又は２に記載の勃起不全又は勃起不能者用装着具。
【００１２】
４．陰茎支持部は、少なくとも体外に露出する陰茎を支持する部分が薄板状であることを特徴とする上記１、２又は３に記載の勃起不全又は勃起不能者用装着具。
【００１３】
５．陰茎支持部は、体内に位置する海綿体を支持する部分の少なくとも一部が大腿の付け根部分によって挟持可能な厚みを有する構成であることを特徴とする上記３又は４のいずれかに記載の勃起不全又は勃起不能者用装着具。
【００１４】
６．陰茎支持部は、硬質合成樹脂又は硬質シリコーンで形成された構成であることを特徴とする上記１〜５のいずれかに記載の勃起不全又は勃起不能者用装着具。
【００１５】
７．陰茎支持部は、亀頭冠の下方から亀頭先端にかけて支持する亀頭先端固定部の硬度が、他の部分を支持する部分の硬度よりも低い構成であることを特徴とする上記１又は６に記載の勃起不全又は勃起不能者用装着具。
【００１６】
８．陰茎支持部は、少なくとも体外に位置する陰茎を支持する部分が軟質材製の被覆部で被覆された構成であることを特徴とする上記１〜７のいずれかに記載の勃起不全又は勃起不能者用装着具。
【００１７】
９．亀頭固定部は、亀頭冠に沿って掛止する伸縮性を有する細紐状・狭巾テープ状の如き構成であることを特徴とする上記１〜８のいずれかに記載の勃起不全又は勃起不能者用装着具。
【００１８】
１０．亀頭固定部は、軟質材で形成された構成であることを特徴とする上記１〜９のいずれかに記載の勃起不全又は勃起不能者用装着具。
【００１９】
１１．軟質材が軟質合成樹脂又は軟質シリコーンであることを特徴とする上記１０に記載の勃起不全又は勃起不能者用装着具。
【００２０】
１２．亀頭固定部は、陰茎支持部を被覆する被覆部と一体的に形成された構成であることを特徴とする上記９〜１１のいずれかに記載の勃起不全又は勃起不能者用装着具。
【００２１】
１３．亀頭先端固定部は、亀頭先端の下部、亀頭先端、亀頭先端の上部、亀頭冠の上部の各点を通って、陰茎支持部の先端と亀頭固定部とを結ぶことにより陰茎支持部からの亀頭の位置ズレを防止する伸縮性を有する細紐状・狭巾テープ状の構成であることを特徴とする上記１〜１２のいずれかに記載の勃起不全又は勃起不能者用装着具。
【００２２】
１４．装着者の胴部に装着されるベルト体と、該ベルト体に一端が直接又は間接的に接続される帯状又は紐状の如き掛止帯と、を有し、該掛止帯の他端が、陰茎支持部の体内に位置する海綿体を支持する部分に接続固定される構成であることを特徴とする上記１〜１３のいずれかに記載の勃起不全又は勃起不能者用装着具。
【００２３】
１５．陰茎支持部の先端部において亀頭の少なくとも一部を露出した状態で該亀頭を被覆支持する亀頭被覆部を有し、該亀頭被覆部は陰茎支持部を被覆する軟質材と一体的に形成された構成であることを特徴とする上記１〜１２のいずれかに記載の勃起不全又は勃起不能者用装着具。
【発明の効果】
【００２４】
請求項１に示す発明によれば、健康時の勃起状態と同じ陰茎が屹立した状態と同様又は近似する状態まで陰茎を支持することができる勃起不全又は勃起不能者用装着具を提供することができる。
【００２５】
特に、亀頭固定部が亀頭先端固定部によって亀頭冠に固定され、性交時にあっても外れたり、位置ずれしたりするのを抑制できる。なお、体外に露出している陰茎だけでなく、該陰茎の内部組織である海綿体の体内に位置する部分の根部の下側部分まで支持する構成（請求項３）を採用することによって、陰茎が下垂することなく屹立した状態に支持することが可能となる。
【００２６】
請求項２に示す発明によれば、体外に露出している部分と共に体内に位置する部分まで含めて尿道海綿体を支持することにより、陰茎を勃起時と同様の状態に支持することが可能である。
【００２７】
請求項４に示す発明によれば、女性器への挿入に支障のない状態での陰茎を勃起時と同様の状態に支持することが可能である。
【００２８】
請求項５に示す発明によれば、陰茎を根元部からしっかり支持することができる。
【００２９】
請求項６に示す発明によれば、陰茎支持部を容易に成形することができる。
【００３０】
請求項７に示す発明によれば、女性器に挿入する際に女性器を傷付けてしまうことを抑制できる。
【００３１】
請求項８に示す発明によれば、陰茎と女性器の両者を傷付けることがない。
【００３２】
請求項９に示す発明によれば、性交時に装着ズレや脱落等を起こすことなく亀頭を安定した状態で支持することを抑制できる。
【００３３】
請求項１０に示す発明によれば、陰茎を傷付けることなく安定した状態で支持することができる。
【００３４】
請求項１１に示す発明によれば、密着性の高い装着感を得ることができる。
【００３５】
請求項１２に示す発明によれば、装着時の違和感を抑制した状態での陰茎の支持が可能となる。
【００３６】
請求項１３に示す発明によれば、亀頭先端の位置ズレを抑制することができる。
【００３７】
請求項１４に示す発明によれば、性交時であっても、より安定した状態での陰茎の支持が可能である。
【００３８】
請求項１５に示す発明によれば、亀頭の位置ズレを抑制することができる。
【図面の簡単な説明】
【００３９】
【図１】本発明に係る勃起不全又は勃起不能者用装着具の一実施例の使用状態を示す概略図
【図２】図１に示す実施例の７面図（正面図、平面図、底面図、左側面図、右側面図、Ａ−Ａ断面図、Ｂ−Ｂ断面図）
【図３】図１に示す実施例の陰茎支持部の３面図（正面図、平面図、右側面図）
【図４】本発明に係る勃起不全又は勃起不能者用装着具の他の実施例の使用状態を示す概略斜視図
【図５】図４に示す実施例の亀頭底部及び亀頭先端固定部の装着前の状態の一例を示す概略斜視図
【図６】図４に示す実施例の亀頭底部及び亀頭先端固定部の装着前の状態の他の一例を示す概略斜視図
【発明を実施するための形態】
【００４０】
次に、添付の図面に従って本発明を実施例に基づき詳細に説明する。
【００４１】
本発明に係る勃起不全又は勃起不能者用装着具（以下、単に装着具と言うこともある。）は、陰茎に装着して勃起時と同様又は近似の状態を保持させることによって性交可能にするためのものである。
【００４２】
図４〜６に示す本発明の装着具１は、男性の陰茎を下側から支持して勃起状態と同様状態又は近似状態を保持する勃起不全又は勃起不能者用装着具であって、
陰茎の下側の少なくとも一部に接した状態で該陰茎を支持する陰茎支持部１１と、該陰茎支持部１１の先端部１１Ａにおいて亀頭冠に沿った状態で掛止することにより亀頭を前記陰茎支持部１１に固定する亀頭固定部１２と、を有し、かつ
前記亀頭固定部１２を亀頭先端に支持する亀頭先端固定部１６を有すること、
を特徴とする勃起不全又は勃起不能者用装着具であることを主構成とする。
【００４３】
一方、図１〜図３に示す本発明の装着具１は、
装着具１の使用者である男性Ｍの陰茎Ｐを下側から支持して勃起状態と同様状態又は近似状態を保持するものであり、男性Ｍの陰茎Ｐの下側に接した状態で支持する陰茎支持部１１と、該陰茎支持部１１の先端部１１Ａにおいて亀頭冠（亀頭冠状溝とも云う）ＣＧに沿った状態で掛止することにより亀頭Ｇを陰茎支持部１１に固定する亀頭固定部１２と、更に、本実施例では、陰茎支持部１１の先端部１１Ａにおいて亀頭Ｇの少なくとも一部を露出した状態で被覆支持する亀頭被覆部１３と、を有して成り、
前記陰茎支持部１１による支持が、体外に露出する陰茎Ｐの略先端の下側部分から、該陰茎Ｐの内部組織の海綿体の中の尿道海綿体Ｃであって体内に位置する部分である該尿道海綿体Ｃの根部ＣＲの下側部分まで、即ち、尿道海綿体Ｃの略先端から根部ＣＲまでの略全域の下側まで及ぶ支持であることを主構成とする。
【００４４】
以下、本発明の装着具１の構成について更に詳説する。
【００４５】
陰茎支持部１１は、少なくとも体外に露出する陰茎Ｐを支持する部分（本実施例では、体内に位置する部分まで）が薄板状である。該陰茎支持部１１としては、硬質合成樹脂や硬質シリコーンで形成されていることが好ましく、例えば、硬質合成樹脂としてはポリエチレン、ポリプロピレンやその他の医療用として使用可能な合成樹脂を挙げることができ、硬質シリコーンとしては、医療用シリコーンゴムを挙げることができ、中でも医療用シリコーンゴムが好ましい。芯材１３の厚みとしては、０．５〜３．０ｍｍ程度の範囲であることが好ましい。
なお、この硬質合成樹脂や硬質シリコーンについては、前記特許文献１等に記載の内容、特に段落番号［０００９］等の記述を参照できる。
【００４６】
また、陰茎支持部１１は、図１〜図３に示すように、陰茎Ｐの先端部１１Ａから根元部１１Ｂの下側に接して支持する際に、この下側へ密着性を高めるために、この下側の面に沿うように湾曲した薄い長板状となっており、尿道海面対Ｃの体内に位置する部分の下側部分を支持する部分は、陰茎Ｐの根元から陰嚢Ｓ内の２つの精巣（睾丸）の間を割るように該陰嚢Ｓの下面を超えて会陰部までに沿う薄板状になっている。
【００４７】
更に、陰茎支持部１１は、亀頭冠ＣＧの下方から先端にかけて支持する部分の硬度が、他の部分を支持する部分の硬度よりも低い構成であることが好ましい。具体的な硬度の一例を挙げると、亀頭冠ＣＧの下方から先端にかけての硬度はショアＡ硬度（ＡＳＴＭ−Ｄ４１２）３５±５程度、その他の部分の硬度はショアＡ硬度（ＡＳＴＭ−Ｄ４１２）８０±５程度であることが好ましい。かかる構成によれば、陰茎支持部１１の先端部分の硬さが和らぐことになるので、女性器に挿入する際等に女性器を傷付けてしまうことがない。
【００４８】
亀頭被覆部１３は、性交時の性的興奮による射精状況が得られるように、亀頭Ｇの被覆範囲は可能な限り少ない方が好ましく、特に敏感な部分である亀頭冠ＣＧに近い部分は被覆することなく露出状態であることが好ましい。
【００４９】
亀頭固定部１２は、亀頭冠ＣＧに沿って掛止する伸縮性を有する細紐状・狭巾テープ状の如き構成であることが好ましい。亀頭固定部１２によって、性交時に装着ズレや脱落等を起こすことなく亀頭Ｇを安定した状態で支持することができる。
【００５０】
更に、陰茎支持部１１には、陰茎Ｐの根元部を固定する伸縮性を有する細紐状・狭巾テープ状の如き陰茎根元部掛止体１４が１本乃至は複数本（本実施例では２本）が設けられていることが好ましい。かかる構成によれば、性交時に装着ズレや脱落等を起こすことなく陰茎Ｐの根元部を安定した状態で支持することができる。
【００５１】
上記構成を有する装着具１の陰茎支持部１１は、軟質材製の被覆部１５で被覆された構成であることが好ましい。軟質材としては、軟質合成樹脂製又は軟質シリコーン製であることが好ましく、軟質合成樹脂又は軟質シリコーンとしては、例えば、軟質ポリウレタン、軟質合成樹脂としては軟質ポリエチレン、軟質ポリプロピレンやその他の医療用として使用可能な軟質合成樹脂を挙げることができ、軟質シリコーンとしては、軟質医療用シリコーンゴムを挙げることができ、中でも軟質医療用シリコーンゴムが好ましい。
なお、この軟質材については、前記特許文献２等に記載の内容、特に段落番号［０００８］等の記述を参照できる。
【００５２】
亀頭固定部１２、亀頭被覆部１３、陰茎根元部掛止体１４の一つ乃至は全部は、軟質材製の被覆部１５と一体的に形成された構成であることが好ましい。
【００５３】
次に、図４に示す他の実施例について説明する。以下に示す実施例において、特に説明のない構成・形状・材質等については、前記した図１〜図３に示す実施例と同様である。
【００５４】
図４に示す本発明の装着具１は、
陰茎Ｐを支持する陰茎支持部１１と、該陰茎支持部１１の先端部において亀頭冠ＣＧに沿った状態で掛止することにより亀頭Ｇを陰茎支持部１１に固定する亀頭固定部１２と、を有して成り、
陰茎支持部１１による支持が、体外に露出する陰茎Ｐの略先端の下側部分から根元部分に加えて、該陰茎Ｐの内部組織の海綿体の中の尿道海綿体Ｃであって体内に位置する部分である尿道海綿体Ｃの根部ＣＲまで、即ち、尿道海綿体Ｃの略全域の下側を支持する構成である。
【００５５】
陰茎支持部１１は、体外に露出する陰茎Ｐを支持する部分は薄板状であるが、体内に位置する尿道海綿体Ｃを支持する部分の少なくとも一部が厚みを有する構成となっている。この陰茎支持部１１の厚みを有する部分である肉厚部１１Ｃは、陰茎Ｐを支持した際に大腿Ｔの付け根部分によって挟持することができ、この挟持によって、より安定した陰茎Ｐの支持が可能となる。肉厚部１１Ｃの厚みとしては、概ね１０〜３０ｍｍ程度が好ましく、１５〜２０ｍｍ程度がより好ましい。
【００５６】
また、図４に示す本実施例では、軟質材製の被覆部１５は陰茎支持部１１の全体を被覆するのではなく、体外に位置する陰茎Ｐを支持する部分を被覆する構成となっている。
【００５７】
更に、本実施例では、亀頭Ｇ先端の下部、亀頭Ｇ先端、亀頭Ｇ先端の上部、亀頭冠ＣＧの上部の各点を通って、陰茎支持部１１の先端部１１Ａと亀頭固定部１２とを結ぶことにより陰茎支持部１１からの亀頭Ｇの位置ズレを防止する伸縮性を有する細紐状・狭巾テープ状の亀頭先端固定部１６を有する構成となっている。
【００５８】
亀頭固定部１２及び／又は亀頭先端固定部１６は、軟質材製の被覆部１５と同素材製による一体成型された構成であることが好ましい。
【００５９】
図４に示す実施例では、装着具１における亀頭固定部１２及び亀頭先端固定部１６の形状については陰茎Ｐに装着した状態の形状を示しているが、装着前の状態では図５に示すような形状となっている。亀頭固定部１２と亀頭先端固定部１６との接続部分の構成としては、図５に示す構成に限らず、図６に示す構成等、その他の構成であってもよい。
【００６０】
更にまた、図示は省略するが、使用者である男性Ｍの胴部にベルト体を装着し、このベルト体に一端が直接又は間接的に接続される帯状又は紐状の如き掛止帯を接続し、この掛止帯の他端を図４に示す陰茎支持部１１の肉厚部１１Ｃに形成した透孔１１Ｄに結び付ける、又は通して固定することによって、男性Ｍの身体自体に固定する態様とすることもできる。かかる構成によれば、性交時においても装着具１をより安定した状態で装着することができるので、陰茎Ｐを確実に支持することができる。
【００６１】
以上の構成を有する本発明の装着具１は、健康時の勃起状態と同じ陰茎Ｐが屹立した状態と同様又は近似する状態まで陰茎を支持することができる。なお、請求項３に示す通り、体外に露出している陰茎Ｐだけでなく、該陰茎Ｐの内部組織である海綿体（特に尿道海綿体Ｃ）の体内に位置する部分の根部（尿道海綿体の根部ＣＲ）の下側部分まで支持する構成を採用することによって、陰茎Ｐが下垂することなく屹立した状態に支持することが可能となる。
【符号の説明】
【００６２】
１  勃起不全又は勃起不能者用装着具（装着具）
１１  陰茎支持部
１１Ａ  先端部
１１Ｂ  根元部
１１Ｃ  肉厚部
１１Ｄ  透孔
１２  亀頭固定部
１３  亀頭被覆部
１４  陰茎根元部掛止体
１５  被覆部
１６  亀頭先端固定部
Ｍ  男性
Ｔ  大腿
Ｐ  陰茎
Ｇ  亀頭
ＣＧ  亀頭冠
Ｃ  尿道海綿体
ＣＲ  尿道海綿体の根部
Ｓ  陰嚢
【図１】
2019181140.tif 000003
【図２】
2019181140.tif 000004
【図３】
2019181140.tif 000005
【図４】
2019181140.tif 000006
【図５】
2019181140.tif 000007
【図６】
2019181140.tif 000008